(57)【特許請求の範囲】
【請求項１】
注目部生成装置と表示装置とからなる注目部生成表示システムにおいて、
上記注目部生成装置は、
被写体を撮像する撮像手段と、
上記撮像手段により撮像した画像から画像データを生成する画像データ生成手段と、
上記画像データ生成手段により生成された上記画像データのフォーカスに対応する画素を注目部としての注目点に設定し、所定の操作手段により上記画像データの任意に選択された箇所を注目部としての注目領域に設定する注目部設定手段と、
上記注目部設定手段により設定した上記注目部の座標を算出する注目部算出手段と、
上記表示装置に対して上記注目部を利用した画像表示を行うため、上記画像データを含む画像ファイルの画像情報記憶領域に上記注目点の座標を記録し、上記注目部設定手段により上記注目領域が設定された場合には上記注目点の座標を削除して上記注目領域の座標を画像情報記憶領域に記録する注目部記録手段と、
上記画像ファイルを上記表示装置に提供する提供手段と
を具え、
上記表示装置は、
上記注目部生成装置から上記画像ファイルを受け取る受取手段と、
上記受取手段により受け取った上記画像ファイルから上記画像データ及び上記注目部の座標を読み込む読込手段と、
上記読込手段により読み込んだ上記注目部を利用した所定の表示手法により上記画像表示を実行する表示制御手段と
を具える注目部生成表示システム。
【請求項２】
上記注目部登録手段は、
Exifファイルに上記注目部の座標を登録する
請求項１に記載の注目部生成表示システム。
【発明の詳細な説明】
【技術分野】
【０００１】
本発明は、注目部生成表示システムに関し、例えばデジタルカメラにより撮像した画像をテレビジョン受像機のディスプレイに表示する場合に適用して好適なものである。
【背景技術】
【０００２】
近年、デジタルカメラ、パーソナルコンピュータ及びテレビジョン受像機等のデジタル機器の普及により、例えばデジタルカメラにより撮像した画像をパーソナルコンピュータやテレビジョン受像機等のディスプレイに表示する方法が多様化している。
【０００３】
画像の表示方法のなかには、例えばスライドショー表示がある。この場合、表示装置としては、スライドショー表示を行うに際し、複数の画像を一定時間毎にディスプレイへ順に表示するようになされている。
【０００４】
このようなスライドショー表示を行う表示装置においては、画像を全体表示する、回転して表示する、或いはモノクロ表示するなど画像全体に対して所定の処理を行って表示するものがある。
【０００５】
また表示装置のなかには、画像データに含まれる輝度の特徴から人物の目と口を検出し、それらの組み合わせによって顔の領域を検出するものがある。このような表示装置は、検出した結果得られた顔の領域が含まれる画像をディスプレイに大きく表示するため、画像全体から顔の領域を含む狭い画像までを時間的に変化させるズーム表示を行ったり、当該顔の領域を移動させながら表示するパンニング表示を行うものがある（例えば、特許文献１参照）。
【特許文献１】特開2006-277038公報
【発明の開示】
【発明が解決しようとする課題】
【０００６】
ところで上述した表示装置においては、デジタルカメラにより人物を含まない画像が撮像された場合、その画像をディスプレイに表示する際、当該画像から人物の顔の領域を検出することができないため、ズーム表示又はパンニング表示を行うことができないという問題があった。
【０００７】
また上述した表示装置においては、デジタルカメラにより撮像された画像に人物が撮像されている場合であっても、背景や建物等の任意の領域に対して自在にズーム表示又はパンニング表示を行うことができないという問題があった。
【０００８】
本発明は以上の点を考慮してなされたもので、簡易な方法により新しい表示形態を提供し得る注目部生成表示システムを提案しようとするものである。
【課題を解決するための手段】
【０００９】
かかる課題を解決するため本発明の注目部生成装置と表示装置とからなる注目部生成表示システムにおいて、注目部生成装置は、被写体を撮像する撮像手段と、撮像手段により撮像した画像から画像データを生成する画像データ生成手段と、画像データ生成手段により生成された画像データのフォーカスに対応する画素を注目部としての注目点に設定し、所定の操作手段により画像データの任意に選択された箇所を注目部としての注目領域に設定する注目部設定手段と、注目部設定手段により設定した上記注目部の座標を算出する注目部算出手段と、表示装置に対して注目部を利用した画像表示を行うため、画像データを含む画像ファイルの画像情報記憶領域に注目点の座標を記録し、注目部設定手段により注目領域が設定された場合には注目点の座標を削除して注目領域の座標を画像情報記憶領域に記録する注目部記録手段と、画像ファイルを上記表示装置に提供する提供手段とを設け、表示装置は、注目部生成装置から画像ファイルを受け取る受取手段と、受取手段により受け取った画像ファイルから画像データ及び注目部の座標を読み込む読込手段と、読込手段により読み込んだ注目部を利用した所定の表示手法により画像表示を実行する表示制御手段とを設けるようにした。
【００１０】
これにより、注目部生成装置によって画像データのフォーカスに対応する画素を注目点として設定して該注目点の座標を画像データの画像情報記録領域に記録し、画像データの任意の箇所が選択された場合には該箇所を注目領域として設定して注目点の座標を削除して注目領域の座標を画像情報記録領域に記録し、画像データを表示装置へ提供することができるので、表示装置にとっては注目点又は注目領域を利用した所定の表示手法による画像表示を行うことができる。
【発明の効果】
【００１３】
本発明によれば、注目部生成装置によって画像データのフォーカスに対応する画素を注目点として設定して該注目点の座標を画像データの画像情報記録領域に記録し、画像データの任意の箇所が選択された場合には該箇所を注目領域として設定して注目点の座標を削除して注目領域の座標を画像情報記録領域に記録し、画像データを表示装置へ提供することができるので、表示装置にとっては注目点又は注目領域を利用した所定の表示手法による画像表示を行うことができ、かくして簡易な方法により新しい表示形態を提供し得る注目部生成表示システムを実現できる。
【発明を実施するための最良の形態】
【００１４】
以下に、図面について、本発明の一実施の形態を詳述する。
【００１５】
（１）注目部生成表示システムの全体構成
図１において、１は全体として本発明における注目部生成表示システムを示し、デジタルカメラ２及びテレビジョン受像機３により構成されており、デジタルカメラ２とテレビジョン受像機３とがケーブル１０を介して電気的に接続されている。
【００１６】
デジタルカメラ２は、上面２Ａにシャッタボタン４と、正面２Ｂにレンズ５とが設けられており、当該シャッタボタン４がユーザにより押下操作されると、当該レンズ５を介して撮像した画像を、背面に設けられたＬＣＤ（Liquid Crystal Display）又は有機ＥＬ（Electroluminescence）等でなるディスプレイ（図示せず）に表示するようになされている。
【００１７】
またデジタルカメラ２は、右側面２Ｃにメモリカード挿入口６が設けられており、撮像した画像をディスプレイに表示すると共に、当該メモリカード挿入口６を介して挿入されたメモリカードに、当該画像に対応する画像データを書き込むようになされている。
【００１８】
さらにデジタルカメラ２は、右側面２Ｃに外部接続インタフェース（図示せず）が設けられており、当該外部接続インタフェースと物理的に接続されたケーブル１０を介してテレビジョン受像機３と電気的に接続されるようになされている。
【００１９】
そしてデジタルカメラ２は、メモリカードに書き込んだ画像データをケーブル１０を介してテレビジョン受像機３へ供給し得るようになされている。
【００２０】
一方、テレビジョン受像機３は、正面３ＢにＬＣＤ又は有機ＥＬ等でなるディスプレイ７と音声を出力するスピーカ８とが設けられ、また右側面３Ｃにメモリカード挿入口９が設けられている。
【００２１】
テレビジョン受像機３は、アンテナ（図示せず）により受信したテレビジョン放送信号に対して所定の信号処理を施した後、その映像をディスプレイ７に表示すると共に、その音声をスピーカ８から出力するようになされている。
【００２２】
またテレビジョン受像機３は、背面３Ｄに外部接続インタフェース（図示せず）が設けられており、当該外部接続インタフェースと物理的に接続されたケーブル１０を介して、デジタルカメラ２と電気的に接続するようになされている。
【００２３】
これによりテレビジョン受像機３は、ケーブル１０を介してデジタルカメラ２から供給される画像データに応じた画像をディスプレイ７に表示し得るようになされている。
【００２４】
またテレビジョン受像機３は、メモリカード挿入口９を介して挿入されたメモリカードに画像データが記録されていた場合、当該メモリカードから画像データを読み込み、当該画像データに応じた画像をディスプレイ７に表示し得るようになされている。
【００２５】
（２）デジタルカメラ及びテレビジョン受像機の回路構成
（２−１）デジタルカメラの回路構成
図２に示すようにデジタルカメラ２は、ＣＰＵ（Central Processing Unit）２１がＲＯＭ（Read Only Memory）２２にあらかじめ記憶されている基本プログラム及び各種アプリケーションプログラムをバス２０を介してＲＡＭ２３上に読み出す。そしてデジタルカメラ２のＣＰＵ２１は、ＲＡＭ２３上で展開した基本プログラム及び各種アプリケーションプログラムに従って全体を統括制御することにより、通常の撮像処理や、後述する注目部生成処理等を実現するようになされている。
【００２６】
デジタルカメラ２のＣＰＵ２１は、操作部２４のシャッタボタン４（図１）が押下操作されたことを認識すると、絞り（図示せず）を調節することにより、被写体から発せられる光をレンズ５を介して撮像素子２５に結像させる。ＣＣＤ（Charge Coupled Device）イメージセンサ又はＣＭＯＳ（Complementary Metal Oxide Semiconductor）イメージセンサ等でなる撮像素子２５は、被写体から発せられる光をレンズ５を介して結像した後に光電変換し、当該光電変換したことにより得られた画像信号を画像処理部２６へ送出する。
【００２７】
このときデジタルカメラ２のＣＰＵ２１は、画像処理部２６に対して、撮像素子２５から供給された画像信号をＡ／Ｄ（Analog / Digital）変換させ、その結果得られた画像データをＲＡＭ２３に書き込む。
【００２８】
そして、デジタルカメラ２のＣＰＵ２１は、ＲＡＭ２３に書き込んだ画像データに対応する画像をディスプレイ２７に表示すると共に、当該画像データと、その画像データの画像情報とが記録されたＥｘｉｆ（Exchangeable Image File Format）ファイルを生成し、メモリカード装着部２８を介して装着されたメモリカードに対し、当該Ｅｘｉｆファイルを書き込むようになされている。
【００２９】
このようにしてデジタルカメラ２のＣＰＵ２１は、操作部２４のシャッタボタン４が押下操作されると、被写体から発せられる光を、レンズ５を介して撮像素子２５及び画像処理部２６により画像データに変換させ、その画像データをＲＡＭ２３に書き込む。そしてデジタルカメラ２のＣＰＵ２１は、ＲＡＭ２３に書き込んだ画像データに応じた画像をディスプレイ２７に表示すると共に、当該画像データが含まれたＥｘｉｆファイルを生成し、当該Ｅｘｉｆファイルをメモリカードに書き込むようになされている。
【００３０】
またデジタルカメラ２のＣＰＵ２１は、外部接続インタフェース２９及びケーブル１０を介してテレビジョン受像機３と電気的に接続されている場合、メモリカードに書き込まれたＥｘｉｆファイルを、メモリカード装着部２８、外部接続インタフェース２９及びケーブル１０を介してテレビジョン受像機３へ送出し得るようになされている。
【００３１】
ところでデジタルカメラ２のＣＰＵ２１は、被写体から発せられる光を、レンズ５を介して撮像素子２５及び画像処理部２６により画像データに変換させ、その画像データに対応する画像をディスプレイ２７に対して表示し得るようになされている。
【００３２】
そしてデジタルカメラ２のＣＰＵ２１は、ディスプレイ２７に対して画像を表示している場合、操作部２４のシャッタボタン４が押下操作されたことを認識すると、上述したように、そのとき被写体から発せられる光をレンズ５を介して撮像素子２５及び画像処理部２６により画像データに変換させ、その画像データに対応する画像をディスプレイ２７に表示すると共に、当該画像データが含まれるＥｘｉｆファイルを生成してメモリカード装着部２８に装着されたメモリカードに書き込むようになされている。
【００３３】
ここでＥｘｉｆファイルについて説明する。図３に示すように、Ｅｘｉｆファイル１００は、TIFF Rev.6.0 RGB Full Color Imagesに準拠して記載されている。このＥｘｉｆファイル１００には、ＴＩＦＦ  Ｈｅａｄｅｒ１０１、０ｔｈ  ＩＦＤ（Image File Directory）１０２、Ｖａｌｕｅ  ｏｆ  ０ｔｈ  ＩＦＤ１０３、１ｓｔ  ＩＦＤサムネイル１０４、Ｖａｌｕｅ  ｏｆ  １ｓｔ  ＩＦＤ１０５、サムネイルデータ１０６及びイメージデータ１０７が記載されている。
【００３４】
ＴＩＦＦ  Ｈｅａｄｅｒ１０１には、ＴＩＦＦ規格に定義された８ｂｙｔｅの情報が記載されている。
【００３５】
０ｔｈ  ＩＦＤ１０２は、イメージデータ１０７に格納された画像データに対する画素数、撮像日時、デジタルカメラ２の機種名、Ｅｘｉｆ固有の情報及びＧＰＳ情報等の画像情報の記載位置等が記載されている。Ｖａｌｕｅ  ｏｆ  ０ｔｈ  ＩＦＤ１０３には、イメージデータ１０７に格納された画像データに対する画素数、撮像日時、デジタルカメラ２の機種名等の画像情報の値が、０ｔｈ  ＩＦＤ１０２の示す記載位置に記載されている。
【００３６】
１ｓｔ  ＩＦＤサムネイル１０４は、サムネイルデータ１０６に格納されたサムネイル画像データに対する画素数等のサムネイル画像情報の記載位置等が記載されている。Ｖａｌｕｅ  ｏｆ  １ｓｔ  ＩＦＤ１０５には、サムネイルデータ１０６に格納されたサムネイル画像データに対する画素数等のサムネイル画像情報の値が、１ｓｔ  ＩＦＤサムネイル１０４の示す記載位置に記載されている。
【００３７】
（２−２）テレビジョン受像機の回路構成
図４に示すように、テレビジョン受像機３は、ＣＰＵ３１がＲＯＭ３２にあらかじめ記憶されている基本プログラム及び各種アプリケーションプログラムをバス３０を介してＲＡＭ３３上に読み出す。そしてテレビジョン受像機３のＣＰＵ３１は、ＲＡＭ３３上で展開した基本プログラム及び各種アプリケーションプログラムに従って全体を統括制御することにより、通常のテレビジョン表示処理や、後述する注目部利用表示処理等を実現するようになされている。
【００３８】
テレビジョン受像機３のＣＰＵ３１は、ユーザ操作に応じてリモートコントローラ３４からチャンネル選択のためのチャンネル選択信号が送信されると、そのチャンネル選択信号を受光部３５を介して受信する。
【００３９】
そしてテレビジョン受像機３のＣＰＵ３１は、受光部３５を介してリモートコントローラ３４から受信したチャンネル選択信号をチューナ３７に対して送出する。チューナ３７は、放送局から放送されるテレビジョン放送信号をアンテナ３６を介して受信すると、チャンネル選択信号に応じたチャンネルのテレビジョン放送信号を復調し、その結果得られた映像信号及び音声信号をデコーダ３８へ送出する。
【００４０】
デコーダ３８は、チューナ３７から供給された映像信号を復号し、その結果得られた映像データを映像処理部３９へ送出する。映像処理部３９は、デコーダ３８から供給された映像データに対応する映像を生成し、その生成した映像をディスプレイ７に表示する。
【００４１】
またデコーダ３８は、チューナ３７から供給された音声信号を復号し、その結果得られた音声データを音声処理部４０へ送出する。音声処理部４０は、デコーダ３８から供給された音声データに対応する音声を生成し、その生成した音声をスピーカ８を介して出力する。
【００４２】
このようにしてテレビジョン受像機３は、ユーザ操作に応じてリモートコントローラ３４から送信されたチャンネル選択信号を受光部３５を介して受信すると、アンテナ３６を介して受信したテレビジョン放送信号のうち、そのチャンネル選択信号に対応したチャンネルのテレビジョン放送信号をチューナ３７により復調して映像信号及び音声信号を得る。
【００４３】
そして、テレビジョン受像機３は、チューナ３７により得られた映像信号及び音声信号をデコーダ３８により復号して映像データ及び音声データを得、映像処理部３９により当該映像データに対応する映像をディスプレイ７に表示すると共に、音声処理部４０により当該音声データに対応する音声をスピーカ８を介して出力するようになされている。
【００４４】
ところでテレビジョン受像機３のＣＰＵ３１は、メモリカード装着部４１に対して装着されたメモリカードに記録されているＥｘｉｆファイルをＲＡＭ３３上に読み出すと、そのＥｘｉｆファイルに含まれる画像データを映像処理部３９へ送出する。映像処理部３９は、ＲＡＭ３３から供給された画像データに対応する画像を生成し、その生成した画像をディスプレイ７に表示するようになされている。
【００４５】
さらにテレビジョン受像機３のＣＰＵ３１は、外部接続インタフェース４２及びケーブル１０を介してデジタルカメラ２と電気的に接続されている場合、当該デジタルカメラ２から供給されるＥｘｉｆファイルをＲＡＭ３３上に記憶し、そのＥｘｉｆファイルに含まれる画像データを映像処理部３９へ送出する。映像処理部３９は、ＲＡＭ３３から供給された画像データに対応する画像を生成し、その生成した画像をディスプレイ７に表示するようになされている。
【００４６】
（３）注目部生成処理
次に注目部生成表示システム１のデジタルカメラ２における注目部生成処理について、フォーカス箇所に対応した画素を注目点として生成するフォーカス注目点生成処理と、画像データに対する任意の領域を注目領域として追加する任意注目領域生成処理とに分けて説明する。
【００４７】
（３−１）フォーカス注目点生成処理
図５（Ａ）に示すように、デジタルカメラ２のＣＰＵ２１は、被写体ＯＢ１をデジタルカメラ２のディスプレイ２７の中央に表示するようユーザによりデジタルカメラ２が視点移動されると、例えば当該被写体ＯＢ１が画枠の中央に配置された状態の撮像画面ＰＷ１をディスプレイ２７に表示する。
【００４８】
そしてデジタルカメラ２のＣＰＵ２１は、撮像画面ＰＷ１の中心に被写体ＯＢ１の中心が存在している状態において、操作部２４のフォーカスボタン（図示せず）がユーザにより押下操作されたことを認識すると、当該被写体ＯＢ１の中心にフォーカスＦＰ１を合わせるようになされている。
【００４９】
その後、図５（Ｂ）に示すように、デジタルカメラ２のＣＰＵ２１は、フォーカスＦＰ１を被写体ＯＢ１に合わせたまま、当該被写体ＯＢ１及び被写体ＯＢ２を撮像するため、当該デジタルカメラ２が視点移動されると、被写体ＯＢ１及び被写体ＯＢ２の両方が画枠の中に配置された状態の撮像画面ＰＷ２をディスプレイ２７に表示する。
【００５０】
このように、デジタルカメラ２のＣＰＵ２１は、撮像画面ＰＷ１及び撮像画面ＰＷ２にフォーカスＦＰ１を重ねて表示するようにしたことにより、ユーザに対してフォーカスＦＰ１の存在及びその位置を目視確認させることができる。
【００５１】
その後、デジタルカメラ２のＣＰＵ２１は、撮像画面ＰＷ２をディスプレイ２７に表示した状態で、操作部２４のシャッタボタン４が押下操作されたことを認識すると、撮像画面ＰＷ２に表示されている画像を撮像し、その画像に対応する画像データをＲＡＭ２３に書き込むようになされている。
【００５２】
このとき、デジタルカメラ２のＣＰＵ２１は、図５（Ｃ）に示すように、フォーカスＦＰ１に対応した画素を注目点ＡＰ１として設定し、ＲＡＭ２３に書き込んだ画像データに対応する画像に対して注目点ＡＰ１が重ねられた画像表示画面ＩＷを生成し、それをディスプレイ２７に表示することにより、ユーザに対して注目点ＡＰ１を目視確認させ得るようになされている。
【００５３】
またデジタルカメラ２のＣＰＵ２１は、ＲＡＭ２３に書き込んだ画像データのフォーカスＦＰ１に対応する画素（すなわち、注目点ＡＰ１）の座標を算出するようになされている。
【００５４】
具体的にいうと、デジタルカメラ２のＣＰＵ２１は、撮像画面ＰＷ１（図５（Ａ））において、被写体ＯＢ１の中心にフォーカスＦＰ１を合わせると同時に、例えばフーリエ変換を利用して撮像画面ＰＷ１に表示した画像に対応する画像データから例えば被写体ＯＢ１の輪郭を抽出し、その抽出したフォーカス輪郭情報をＲＡＭ２３に書き込む。
【００５５】
そしてデジタルカメラ２のＣＰＵ２１は、操作部２４のシャッタボタン４が押下操作されたことを認識すると、撮像画面ＰＷ２（図５（Ｂ））に表示された画像を撮像すると同時に、その画像に対応する画像データに対してもフーリエ変換を利用して被写体ＯＢ１の輪郭を抽出し、その抽出した撮像画像輪郭情報とＲＡＭ２３に書き込んだフォーカス輪郭情報とをパターンマッチングすることにより、被写体ＯＢ１の移動距離を算出するようになされている。
【００５６】
実際上、図６に示すように、デジタルカメラ２のＣＰＵ２１は、撮像画面ＰＷ２（図５（Ｂ））に表示された画像に対応する画像データＰＤ１の左上の頂点を（０、０）とし、右方向にＸ軸、下方向にＹ軸が伸びる座標軸により注目点ＡＰ１の座標を表し、パターンマッチングにより得られた移動距離を用いて注目点ＡＰ１の座標（Ｘａ、Ｙａ）を得る。
【００５７】
そして、図３との対応部分に同一符号を付した図７に示すように、デジタルカメラ２のＣＰＵ２１は、メモリカード装着部２８に装着されたメモリカードに対して画像データＰＤ１を書き込む際、ＲＡＭ２３に書き込まれた画像データＰＤ１と、その画像データＰＤ１の画像情報とが記録されたＥｘｉｆファイル２００を生成し、そのＥｘｉｆファイル２００をメモリカードに書き込むようになされている。
【００５８】
デジタルカメラ２のＣＰＵ２１は、Ｅｘｉｆファイル２００を生成する際、Ｖａｌｕｅ  ｏｆ  ０ｔｈ  ＩＦＤ１０３におけるＭａｋｅｒＮｏｔｅ１１１の非公開領域１２１に注目点ＡＰ１の座標（Ｘａ、Ｙａ）を書き込むようになされている。
【００５９】
（３−２）任意注目領域生成処理
一方、図８（Ａ）に示すように、デジタルカメラ２のＣＰＵ２１は、被写体ＰＳ１が表示された撮像画面ＰＷＢをディスプレイ２７に表示中、操作部２４のフォーカスボタンがユーザにより押下操作されたことを認識すると、撮像画面ＰＷＢの中心にフォーカスＦＰ２を合わせるようになされている。
【００６０】
デジタルカメラ２のＣＰＵ２１は、フォーカスＦＰ２を撮像画面ＰＷＢの中心に合わせた状態において、操作部２４のシャッタボタン４が押下操作されたことを認識すると、撮像画面ＰＷＢに表示している画像を撮像し、その画像に対応する画像データをＲＡＭ２３に書き込んだ後、図８（Ｂ）に示すように、フォーカスＦＰ２に対応する画素でなる注目点ＡＰ２の座標（Ｘｂ、Ｙｂ）を算出する。
【００６１】
デジタルカメラ２のＣＰＵ２１は、ＲＡＭ２３に書き込んだ画像データに対応する画像に注目点ＡＰ２が重ねられた画像表示画面ＩＷＢを生成し、それをディスプレイ２７に表示するようになされている。
【００６２】
図７との対応部分に同一符号を付した図９に示すように、デジタルカメラ２のＣＰＵ２１は、撮像画面ＰＷＢに表示された画像に対応する画像データＰＤ２と、その画像データＰＤ２の画像情報が記録されたＥｘｉｆファイル３００を生成し、当該Ｅｘｉｆファイル３００をメモリカードに書き込む。
【００６３】
デジタルカメラ２のＣＰＵ２１は、Ｅｘｉｆファイル３００を生成する際、Ｖａｌｕｅ  ｏｆ  ０ｔｈ  ＩＦＤ１０３におけるＭａｋｅｒＮｏｔｅ１１１の非公開領域１２１に注目点ＡＰ２の座標（Ｘｂ、Ｙｂ）を書き込むようになされている。
【００６４】
図８（Ｃ）に示すように、デジタルカメラ２のＣＰＵ２１は、操作部２４における、注目領域を追加するための注目領域追加ボタン（図示せず）が押下操作されると、メモリカードに書き込まれたＥｘｉｆファイル３００から画像データＰＤ２をＲＡＭ２３に読み出し、当該画像データＰＤ２に応じた画像に対して、画面内を自由に移動可能なカーソルＣＳが重ねられた注目領域追加画面ＡＷＢを生成し、それをディスプレイ２７に表示するようになされている。
【００６５】
デジタルカメラ２のＣＰＵ２１は、操作部２４を介したユーザ操作により、カーソルＣＳにより被写体ＰＳ１が選択されると、その選択した領域に含まれる複数の画素を注目領域ＡＴとして設定し、当該注目領域ＡＴの座標（Ｘｃ〜Ｘｄ、Ｙｃ〜Ｙｄ）を算出する。
【００６６】
このときデジタルカメラ２のＣＰＵ２１は、図１０に示すように、Ｅｘｉｆファイル３１０におけるＭａｋｅｒＮｏｔｅ１１１の非公開領域１２１に、注目点ＡＰ２の座標（Ｘｂ、Ｙｂ）に加えて、注目領域ＡＴの座標（Ｘｃ〜Ｘｄ、Ｙｃ〜Ｙｄ）を書き込むようになされている。
【００６７】
すなわちデジタルカメラ２のＣＰＵ２１は、Ｅｘｉｆファイル３００（図９）に注目領域ＡＴの座標（Ｘｃ〜Ｘｄ、Ｙｃ〜Ｙｄ）を追加し、それにより得られたＥｘｉｆファイル３１０をＲＡＭ２３に書き込むようになされている。
【００６８】
（４）注目部生成処理手順
次に、上述したフォーカス注目点生成処理及び任意注目領域生成処理の流れについて注目部生成処理手順として、まとめて説明する。
【００６９】
図１１に示すように、デジタルカメラ２のＣＰＵ２１は、ルーチンＲＴ１の開始ステップから入って次のステップＳＰ１へ移り、撮像画面ＰＷ１（図５（Ａ））又は撮像画面ＰＷＢ（図８（Ａ））をディスプレイ２７に表示している状態において、操作部２４のフォーカスボタンが押下操作されたか否かを判断し、否定結果が得られると、ステップＳＰ３へ移る。
【００７０】
これに対してステップＳＰ１において肯定結果が得られると、このことは操作部２４のフォーカスボタンが押下操作されたことを表しており、このときデジタルカメラ２のＣＰＵ２１は、次のステップＳＰ２へ移る。
【００７１】
ステップＳＰ２においてデジタルカメラ２のＣＰＵ２１は、撮像画面ＰＷ１又は撮像画面ＰＷＢの中心にフォーカスＦＰ１又はフォーカスＦＰ２を合わせて次のステップＳＰ３へ移る。
【００７２】
ステップＳＰ３においてデジタルカメラ２のＣＰＵ２１は、操作部２４のシャッタボタン４が押下操作されたか否かを判断し、否定結果が得られると、操作部２４のシャッタボタン４が押下操作されるまで待ち受けるのに対し、肯定結果が得られると、次のステップＳＰ４へ移る。
【００７３】
ステップＳＰ４においてデジタルカメラ２のＣＰＵ２１は、レンズ５を介して被写体を撮像する。すなわち、デジタルカメラ２のＣＰＵ２１は、被写体から発せられた光をレンズ５を介して撮像素子２５及び画像処理部２６により画像データＰＤ１又は画像データＰＤ２に変換させ、その画像データＰＤ１又は画像データＰＤ２をＲＡＭ２３に書き込み、次のステップＳＰ５へ移る。
【００７４】
ステップＳＰ５においてデジタルカメラ２のＣＰＵ２１は、画像データＰＤ１のフォーカスＦＰ１又は画像データＰＤ２のフォーカスＦＰ２に対応する画素を注目点ＡＰ１又は注目点ＡＰ２として設定し、フーリエ変換を利用したパターンマッチングにより当該注目点ＡＰ１の座標（Ｘａ、Ｙａ）又は注目点ＡＰ２の座標（Ｘｂ、Ｙｂ）を算出し、次のステップＳＰ６へ移る。
【００７５】
因みにステップＳＰ５においてデジタルカメラ２のＣＰＵ２１は、ステップＳＰ１においてフォーカスを合わせていない場合、撮像した画像データの中心の画素を注目点として設定するようになされている。
【００７６】
ステップＳＰ６においてデジタルカメラ２のＣＰＵ２１は、ＲＡＭ２３に書き込んだ画像データＰＤ１が記録されたＥｘｉｆファイル２００又は画像データＰＤ２が記録されたＥｘｉｆファイル３００を生成する。その際、デジタルカメラ２のＣＰＵ２１は、Ｅｘｉｆファイル２００又はＥｘｉｆファイル３００においてＭａｋｅｒＮｏｔｅ１１１の非公開領域１２１に注目点ＡＰ１の座標（Ｘａ、Ｙａ）又は注目点ＡＰ２の座標（Ｘｂ、Ｙｂ）を記録し、次のステップＳＰ７へ移る。
【００７７】
ステップＳＰ７においてデジタルカメラ２のＣＰＵ２１は、操作部２４の注目領域追加ボタンが押下操作されたか否かを判断し、否定結果が得られると、ステップＳＰ１１へ移って処理を終了する。
【００７８】
これに対してステップＳＰ７において肯定結果が得られると、このことは、操作部２４を介して、注目領域追加ボタンが押下操作されたことを表しており、このときデジタルカメラ２のＣＰＵ２１は、次のステップＳＰ８へ移る。
【００７９】
ステップＳＰ８においてデジタルカメラ２のＣＰＵ２１は、メモリカードに書き込まれたＥｘｉｆファイル３００（図９）から画像データＰＤ２をＲＡＭ２３に読み出し、当該画像データＰＤ２に対応する画像に、画面内を自由に移動可能なカーソルＣＳが重ねられた注目領域追加画面ＡＷＢ（図８（Ｃ））を生成し、それをディスプレイ２７に表示し、次のステップＳＰ９へ移る。
【００８０】
ステップＳＰ９においてデジタルカメラ２のＣＰＵ２１は、操作部２４を介したユーザ操作により、カーソルＣＳが被写体ＰＳ１を選択すると、その選択された領域に含まれる複数の画素を注目領域ＡＴとして設定し、当該注目領域ＡＴの座標（Ｘｃ〜Ｘｄ、Ｙｃ〜Ｙｄ）を算出し、次のステップＳＰ１０へ移る。
【００８１】
ステップＳＰ１０においてデジタルカメラ２のＣＰＵ２１は、算出することにより得られた注目領域ＡＴの座標（Ｘｃ〜Ｘｄ、Ｙｃ〜Ｙｄ）を、Ｅｘｉｆファイル３１０（図１０）におけるＭａｋｅｒＮｏｔｅ１１１の非公開領域１２１に書き込み、次のステップＳＰ１１へ移って処理を終了する。
【００８２】
（５）注目部利用表示手法
次に、デジタルカメラ２により生成した注目点及び注目領域を利用した画像表示を行う手法としてのテレビジョン受像機３における注目部利用表示手法について、ズーム表示手法、マスク表示手法及び移動表示手法に分けて説明する。
【００８３】
（５−１）ズーム表示手法
テレビジョン受像機３のＣＰＵ３１は、デジタルカメラ２から外部接続インタフェース４２及びケーブル１０を介して例えばＥｘｉｆファイル２００が供給されたり、メモリカードを介してのオフライン通信により、Ｅｘｉｆファイル２００が供給されると、そのＥｘｉｆファイル２００をＲＡＭ３３に書き込むようになされている。
【００８４】
テレビジョン受像機３のＣＰＵ３１は、ユーザ操作によりリモートコントローラ３４からズーム表示を行うためのズーム表示信号を受信すると、ＲＡＭ３３に書き込んだＥｘｉｆファイル２００から画像データＰＤ１と、注目点ＡＰ１の座標（Ｘａ、Ｙａ）とを読み出し、当該画像データＰＤ１と当該注目点ＡＰ１の座標（Ｘａ、Ｙａ）とを映像処理部３９へ送出する。
【００８５】
図１２（Ａ）に示すように、テレビジョン受像機３のＣＰＵ３１は、映像処理部３９を介して画像データＰＤ１に応じた画像に対して、注目点ＡＰ１が重ねられた画像表示画面ＺＷ１を生成し、それをディスプレイ７に表示する。
【００８６】
その後、テレビジョン受像機３のＣＰＵ３１は、図１２（Ｂ）及び（Ｃ）に示すように、映像処理部３９を介して画像表示画面ＺＷ１からズーム表示画面ＺＷ２、そしてズーム表示画面ＺＷ３へと時間の経過とともにズーム表示を行うことにより、注目点ＡＰ１を中心とした画像部分がディスプレイ７に拡大表示し得るようになされている。
【００８７】
このようにテレビジョン受像機３のＣＰＵ３１は、リモートコントローラ３４からズーム表示信号を受信すると、画像データＰＤ１に対応する画像全体をディスプレイ７に表示し、時間の経過とともに注目点ＡＰ１を中心とした画像部分を拡大して表示するように映像処理部３９を介してズーム表示制御することにより、ユーザに対して、画像全体を見せた上で注目点ＡＰ１を中心とした画像部分を大きく見せることができる。
【００８８】
（５−２）マスク表示手法
テレビジョン受像機３のＣＰＵ３１は、デジタルカメラ２から外部接続インタフェース４２及びケーブル１０を介して例えばＥｘｉｆファイル２００が供給されたり、メモリカードを介してのオフライン通信により、Ｅｘｉｆファイル２００が供給されると、そのＥｘｉｆファイル２００をＲＡＭ３３に書き込むようになされている。
【００８９】
テレビジョン受像機３のＣＰＵ３１は、リモートコントローラ３４を介したユーザ操作により、マスク表示を行うためのマスク表示信号を受信すると、ＲＡＭ３３に書き込んだＥｘｉｆファイル２００から画像データＰＤ１と、注目点ＡＰ１の座標（Ｘａ、Ｙａ）とを読み出し、当該画像データＰＤ１と当該注目点ＡＰ１の座標（Ｘａ、Ｙａ）とを映像処理部３９へ送出する。
【００９０】
図１３（Ａ）に示すように、テレビジョン受像機３のＣＰＵ３１は、当該映像処理部３９を介して画像データＰＤ１に応じた画像に対して、注目点ＡＰ１が重ねられた画像表示画面ＭＷ１を生成し、それをディスプレイ７に表示させる。
【００９１】
その後、テレビジョン受像機３のＣＰＵ３１は、図１３（Ｂ）及び（Ｃ）に示すように、画像表示画面ＭＷ１からマスク表示画面ＭＷ２、そしてマスク表示画面ＭＷ３へと時間の経過とともに、注目点ＡＰ１を中心とした画像部分だけを残すように、それ以外の黒部分領域（以下、これをマスク領域ＭＡと呼ぶ。）を徐々に大きくしながら表示制御するようになされている。
【００９２】
これによりテレビジョン受像機３のＣＰＵ３１は、リモートコントローラ３４からマスク表示信号を受信すると、画像データＰＤ１に対応する画像全体をディスプレイ７に表示させ、時間の経過とともに、注目点ＡＰ１を中心とした画像部分以外が徐々にマスク領域ＭＡに隠蔽されるよう映像処理部３９を介してマスク表示制御することにより、注目点ＡＰ１を中心とした画像部分だけを浮き立たせた状態で最終的に表示させるので、ユーザに対して、最初に画像全体を見せてから、徐々に注目点ＡＰ１を中心とした画像部分だけを際立たせて注目させることができる。
【００９３】
（５−３）移動表示手法
テレビジョン受像機３のＣＰＵ３１は、デジタルカメラ２から外部接続インタフェース４２及びケーブル１０を介して例えばＥｘｉｆファイル２００が供給されたり、メモリカードを介してのオフライン通信により、Ｅｘｉｆファイル２００が供給されると、そのＥｘｉｆファイル２００をＲＡＭ３３に書き込むようになされている。
【００９４】
テレビジョン受像機３のＣＰＵ３１は、ユーザ操作によりリモートコントローラ３４から移動表示するための移動表示信号を受信すると、ＲＡＭ３３に書き込んだＥｘｉｆファイル２００から画像データＰＤ１と、注目点ＡＰ１の座標（Ｘａ、Ｙａ）とを読み出し、当該画像データＰＤ１と当該注目点ＡＰ１の座標（Ｘａ、Ｙａ）とを映像処理部３９へ送出する。
【００９５】
図１４（Ａ）に示すように、テレビジョン受像機３のＣＰＵ３１は、映像処理部３９へ画像データＰＤ１及び注目点ＡＰ１の座標（Ｘａ、Ｙａ）を送出すると、当該映像処理部３９を介して、当該画像データＰＤ１の例えば左上一部の画面部分ＷＡ１に対応する移動表示画面ＴＷ１（図１４（Ｄ））を生成し、それをディスプレイ７に表示させる。
【００９６】
図１４（Ｂ）及び（Ｃ）に示すように、テレビジョン受像機３のＣＰＵ３１は、画面部分ＷＡ１から、画面部分ＷＡ２、そして画面部分ＷＡ３へと画像データＰＤ１の左上部分から注目点ＡＰ１を中心とした画像部分まで時間の経過とともに、画面部分ＷＡ１、画面部分ＷＡ２及び画面部分ＷＡ３にそれぞれ対応する移動表示画面ＴＷ１（図１４（Ｄ））、移動表示画面ＴＷ２（図１４（Ｅ））、移動表示画面ＴＷ３（図１４（Ｆ））をディスプレイ７に表示させ、画像データＰＤ１の左上部分から画像データＰＤ１の右下部分の注目点ＡＰ１へ近づくように映像処理部３９を介して移動表示制御するようになされている。
【００９７】
これによりテレビジョン受像機３のＣＰＵ３１は、リモートコントローラ３４から移動表示信号を受信すると、画像データＰＤ１の一部の画面部分に対応する画像を時間の経過とともに移動させながら、ディスプレイ７へ表示させるように映像処理部３９を介して表示制御するようになされているため、ユーザに対して注目点以外の画像も紹介しながら、注目点ＡＰ１付近を最終的に見せることができる。
【００９８】
なおテレビジョン受像機３のＣＰＵ３１は、デジタルカメラ２からＥｘｉｆファイル３１０が供給され、リモートコントローラ３４からズーム表示信号、マスク表示信号又は移動表示信号を受信すると、上述したＥｘｉｆファイル２００の注目点ＡＰ１を利用したズーム表示手法、マスク表示手法又は移動表示手法による画像表示と同様に、注目点ＡＰ２を利用したズーム表示手法、マスク表示手法又は移動表示手法により画像表示を行うようになされている。
【００９９】
またテレビジョン受像機３のＣＰＵ３１は、例えばリモートコントローラ３４のユーザ操作により、注目領域ＡＴを利用した表示手法が選択されると、注目領域ＡＴを利用したズーム表示手法、マスク表示手法又は移動表示手法により画像表示を行うようになされている。
【０１００】
（６）注目部利用表示処理手順
次に、上述したズーム表示手法、マスク表示手法及び移動表示手法に対する処理の流れを注目部利用表示処理手順として説明する。
【０１０１】
図１５に示すように、テレビジョン受像機３のＣＰＵ３１は、ルーチンＲＴ２の開始ステップから入って次のステップＳＰ２１へ移り、デジタルカメラ２から例えばＥｘｉｆファイル２００が供給されたか否かを判断し、否定結果が得られると、このことはデジタルカメラ２からＥｘｉｆファイル２００が供給されていないことを表しており、Ｅｘｉｆファイルが供給されるまで待ち受ける。
【０１０２】
これに対してステップＳＰ２１において肯定結果が得られると、このことはデジタルカメラ２から外部接続インタフェース４２及びケーブル１０を介してＥｘｉｆファイル２００が供給された、又はメモリカード装着部４１に装着されたメモリカードを介してオフライン通信によりＥｘｉｆファイル２００が供給されたことを表しており、このときテレビジョン受像機３のＣＰＵ３１は、次のステップＳＰ２２へ移る。
【０１０３】
ステップＳＰ２２においてテレビジョン受像機３のＣＰＵ３１は、デジタルカメラ２から供給されたＥｘｉｆファイル２００を読み出してＲＡＭ３３に書き込み、次のステップＳＰ２３へ移る。
【０１０４】
ステップＳＰ２３においてテレビジョン受像機３のＣＰＵ３１は、リモートコントローラ３４から受光部３５を介してズーム表示信号を受信したか否かを判断し、否定結果が得られると、このことはズーム表示信号を受信していないことを表しており、ステップＳＰ２５へ移る。
【０１０５】
これに対してステップＳＰ２３において肯定結果が得られると、このことはズーム表示信号を受信したことを表しており、このときテレビジョン受像機３のＣＰＵ３１は、次のステップＳＰ２４へ移る。
【０１０６】
ステップＳＰ２４においてテレビジョン受像機３のＣＰＵ３１は、ＲＡＭ３３からＥｘｉｆファイル２００の画像データＰＤ１及び注目点ＡＰ１の座標（Ｘａ、Ｙａ）を読み出し、当該画像データＰＤ１及び注目点ＡＰ１の座標（Ｘａ、Ｙａ）を映像処理部３９へ送出する。
【０１０７】
その後、テレビジョン受像機３のＣＰＵ３１は、画像表示画面ＺＷ１からズーム表示画面ＺＷ２、そしてズーム表示画面ＺＷ３へと時間の経過とともにズーム表示を行い、注目点ＡＰ１を中心とした画像部分がディスプレイ７に拡大表示されるように映像処理部３９を介してズーム表示制御し、次のステップＳＰ３０へ移って処理を終了する。
【０１０８】
ステップＳＰ２５においてテレビジョン受像機３のＣＰＵ３１は、リモートコントローラ３４から受光部３５を介してマスク表示信号を受信したか否かを判断し、否定結果が得られると、このことはマスク表示信号を受信していないことを表しており、ステップＳＰ２７へ移る。
【０１０９】
これに対してステップＳＰ２５において肯定結果が得られると、このことはマスク表示信号を受信したことを表しており、このときテレビジョン受像機３のＣＰＵ３１は、次のステップＳＰ２６へ移る。
【０１１０】
ステップＳＰ２６においてテレビジョン受像機３のＣＰＵ３１は、ＲＡＭ３３からＥｘｉｆファイル２００の画像データＰＤ１及び注目点ＡＰ１の座標（Ｘａ、Ｙａ）を読み出し、当該画像データＰＤ１及び注目点ＡＰ１の座標（Ｘａ、Ｙａ）を映像処理部３９へ送出する。
【０１１１】
その後、テレビジョン受像機３のＣＰＵ３１は、画像表示画面ＭＷ１からマスク表示画面ＭＷ２、そしてマスク表示画面ＭＷ３へと時間的の経過とともに注目点を中心とした画像部分以外が徐々にマスク領域ＭＡに隠蔽されるよう映像処理部３９を介してマスク表示制御し、次のステップＳＰ３０へ移って処理を終了する。
【０１１２】
ステップＳＰ２７においてテレビジョン受像機３のＣＰＵ３１は、リモートコントローラ３４から受光部３５を介して移動表示信号を受信したか否かを判断し、肯定結果が得られると、このことは移動表示信号を受信したことを表しており、次のステップＳＰ２８へ移る。
【０１１３】
ステップＳＰ２８においてテレビジョン受像機３のＣＰＵ３１は、ＲＡＭ３３からＥｘｉｆファイル２００の画像データＰＤ１及び注目点ＡＰ１の座標（Ｘａ、Ｙａ）を読み出し、当該画像データＰＤ１及び注目点ＡＰ１の座標（Ｘａ、Ｙａ）を映像処理部３９へ送出する。
【０１１４】
その後、テレビジョン受像機３のＣＰＵ３１は、画像データＰＤ１の左上画像部分から注目点ＡＰ１を中心した画像部分へ近づくように時間の経過とともに移動させながら、画像部分ＷＡ１、画像部分ＷＡ２及び画像部分ＷＡ３にそれぞれ対応する移動表示画像ＴＷ１、移動表示画像ＴＷ２及び移動表示画像ＴＷ３をディスプレイ７に映像処理部３９を介して表示させるよう移動表示制御し、次のステップＳＰ３０へ移って処理を終了する。
【０１１５】
これに対してステップＳＰ２７において否定結果が得られると、このことはズーム表示信号、マスク表示信号及び移動表示信号のいずれも受信していないことを表しており、このときテレビジョン受像機３のＣＰＵ３１は、Ｅｘｉｆファイル２００の画像データＰＤ１を読み出して映像処理部３９へ供給し、当該画像データＰＤ１に対応する画像を映像処理部３９を介してディスプレイ７に表示させ、次のステップＳＰ３０へ移って処理を終了する。
【０１１６】
（７）動作及び効果
以上の構成において、注目部生成表示システム１におけるデジタルカメラ２のＣＰＵ２１は、被写体を撮像することにより得られた画像データＰＤ１のフォーカスＦＰ１又は画像データＰＤ２のフォーカスＦＰ２を注目部としての注目点ＡＰ１又は注目点ＡＰ２として設定し、その注目点ＡＰ１の座標（Ｘａ、Ｙａ）又は注目点ＡＰ２の座標（Ｘｂ、Ｙｂ）をＥｘｉｆファイル２００又はＥｘｉｆファイル３００におけるＭａｋｅｒＮｏｔｅ１１１の非公開領域１２１に書き込むようにした。
【０１１７】
これによりデジタルカメラ２のＣＰＵ２１は、ユーザに対して何ら煩雑な操作を一切行わせることなく、フォーカスＦＰ１に対応する画素を注目点ＡＰ１の座標（Ｘａ、Ｙａ）又はフォーカスＦＰ２に対応する画素を注目点ＡＰ２の座標（Ｘｂ、Ｙｂ）としてＥｘｉｆファイル２００又はＥｘｉｆファイル３００に書き込むことができる。
【０１１８】
またデジタルカメラ２のＣＰＵ２１は、操作部２４の注目領域選択ボタンが押下操作されると、注目領域追加画面ＡＷＢをディスプレイ２７に表示し、画像データＰＤ２に対応する画像の一部がカーソルＣＳにより選択されると、その選択した領域に含まれる複数の画素を注目部としての注目領域ＡＴとして設定し、その注目領域ＡＴの座標（Ｘｃ〜Ｘｄ、Ｙｃ〜Ｙｄ）をＥｘｉｆファイル３１０におけるＭａｋｅｒＮｏｔｅ１１１の非公開領域１２１に書き込むようにした。
【０１１９】
これによりデジタルカメラ２のＣＰＵ２１は、ユーザが所望する任意の領域を当該ユーザに指定させるという簡易な操作を行わせるだけで、画像データＰＤ２の任意の領域を注目領域ＡＴとしてＥｘｉｆファイル３１０に書き込むことができる。
【０１２０】
また注目部生成表示システム１におけるテレビジョン受像機３のＣＰＵ３１は、デジタルカメラ２からＥｘｉｆファイル２００又はＥｘｉｆファイル３１０が供給され、リモートコントローラ３４から受光部３５を介してズーム表示信号、マスク表示信号又は移動表示信号を受信すると、ズーム表示信号、マスク表示信号又は移動表示信号に従って、注目点ＡＰ１、注目点ＡＰ２又は注目領域ＡＴを利用した表示制御を行うようにした。
【０１２１】
これによりテレビジョン受像機３のＣＰＵ３１は、リモートコントローラ３４からズーム表示信号を受信すると、例えば画像データＰＤ１に対応する画像全体をディスプレイ７に表示させ、時間の経過とともにズーム表示を行わせ、ディスプレイ７に注目点ＡＰ１を中心とした画像部分が拡大表示されるように映像処理部３９を介してズーム表示制御することにより、ユーザに対して、画像全体を見せた上で注目点ＡＰ１を中心とした画像部分を大きく見せることができる。
【０１２２】
またテレビジョン受像機３のＣＰＵ３１は、リモートコントローラ３４からマスク表示信号を受信すると、例えば画像データＰＤ１に対応する画像全体をディスプレイ７に表示させ、時間の経過とともにマスク表示を行わせ、注目点ＡＰ１を中心とした画像付近以外が徐々にマスク領域ＭＡに隠蔽されるよう映像処理部３９を介してマスク表示制御することにより、注目点ＡＰ１付近の画像だけを最終的に表示させるので、ユーザに対して、画像全体を見せた上で注目点ＡＰ１を中心とした画像部分だけを際立たせて注目させることができる。
【０１２３】
さらにテレビジョン受像機３のＣＰＵ３１は、リモートコントローラ３４から移動表示信号を受信すると、例えば画像データＰＤ１の一部の画面部分を時間の経過とともに移動させながらディスプレイ７へ表示させるように映像処理部３９を介して移動表示制御するようになされているため、ユーザに対して注目点以外の画像を紹介しながら、注目点ＡＰ１付近の画像部分を最終的に見せることができる。
【０１２４】
以上の構成によれば、注目部生成表示システム１は、デジタルカメラ２が撮像することにより得られた画像データＰＤ１のフォーカスＦＰ１に対応する画素を注目点ＡＰ１に設定し、その注目点ＡＰ１の座標（Ｘａ、Ｙａ）を算出してＥｘｉｆファイル２００に書き込み、テレビジョン受像機３が画像データＰＤ１に対応する画像をディスプレイ７に表示する際、その注目点ＡＰ１を利用した表示制御を行うようにしたことにより、新しい表示形態をユーザに対して提供することができる。
【０１２５】
また注目部生成表示システム１は、デジタルカメラ２が撮像することにより得られた画像データＰＤ２のフォーカスＦＰ２に対応する画素を注目点ＡＰ２に設定し、その注目点ＡＰ２の座標（Ｘａ、Ｙａ）を算出してＥｘｉｆファイル３００に書き込み、任意に選択された領域に含まれる複数の画素を注目領域ＡＴに設定し、その注目領域ＡＴの座標（Ｘｃ〜Ｘｄ、Ｙｃ〜Ｙｄ）を算出してＥｘｉｆファイル３１０に書き込む。そして注目部生成表示システム１は、テレビジョン受像機３が画像データＰＤ２に対応する画像をディスプレイ７に表示する際、その注目点ＡＰ２及び注目領域ＡＴを利用した表示制御を行うようにしたことにより、新しい表示形態をユーザに対して提供することができる。
【０１２６】
（８）他の実施の形態
なお上述した実施の形態においては、テレビジョン受像機３がＥｘｉｆファイル２００の画像データＰＤ１をディスプレイ７に表示する際、ＣＰＵ３１が注目点ＡＰ１を利用した表示制御を行うようにした場合について述べたが、本発明はこれに限らず、デジタルカメラ２のＣＰＵ２１がＥｘｉｆファイル２００の画像データＰＤ１をディスプレイ２７に表示する際、注目点ＡＰ１を利用した表示制御を行うようにしても良い。
【０１２７】
この場合デジタルカメラ２のＣＰＵ２１は、上述したズーム表示、マスク表示及び移動表示等の表示手法を行うことができる。
【０１２８】
また上述した実施の形態においては、デジタルカメラ２からテレビジョン受像機３へＥｘｉｆファイル２００を供給する場合、ケーブル１０を介しての有線通信、又はメモリカードを介してオフライン通信により、Ｅｘｉｆファイル２００を供給するようにした場合について述べたが、Bluetooth（登録商標）、ＩｒＤＡ（Infrared Data Association）、又はIEEE（Institute of Electrical and Electronics Engineers）802.11系の無線ＬＡＮ（Local Area Network）等のその他種々の無線通信方法によってデジタルカメラ２からテレビジョン受像機３へ無線通信するようにしても良い。
【０１２９】
さらに上述した実施の形態においては、操作部２４の注目領域選択ボタンが押下操作され、注目領域追加画面ＡＷＢをディスプレイ２７に表示し、被写体ＰＳ１がカーソルＣＳにより選択されると、Ｅｘｉｆファイル３１０におけるＭａｋｅｒＮｏｔｅ１１１の非公開領域１２１に、注目点ＡＰ２の座標（Ｘｂ、Ｙｂ）に追加して注目領域ＡＴの座標（Ｘｃ〜Ｘｄ、Ｙｃ〜Ｙｄ）を書き込むようにした場合について述べたが、本発明はこれに限らず、Ｅｘｉｆファイル３１０におけるＭａｋｅｒＮｏｔｅ１１１の非公開領域１２１に、注目点ＡＰ２の座標（Ｘｂ、Ｙｂ）を削除し、注目領域ＡＴの座標（Ｘｃ〜Ｘｄ、Ｙｃ〜Ｙｄ）だけを書き込むようにしても良い。
【０１３０】
さらに上述した実施の形態においては、デジタルカメラ２のＣＰＵ２１が画像データＰＤ１に対応する画像をディスプレイ２７に表示する際、当該画像データＰＤ１に対応する画像と注目点ＡＰ１とを表示する場合について述べたが、本発明はこれに限らず、当該画像データＰＤ１に対応する画像だけを表示するようにしても良い。
【０１３１】
さらに上述した実施の形態においては、デジタルカメラ３のＣＰＵ３１が画像データＰＤ１に対応する画像をディスプレイ７に表示する際、当該画像データＰＤ１に対応する画像と注目点ＡＰ１とを表示する場合について述べたが、本発明はこれに限らず、当該画像データＰＤ１に対応する画像だけを表示するようにしても良い。
【０１３２】
さらに上述した実施の形態においては、操作部２４の注目領域選択ボタンが押下操作されると、デジタルカメラ２が注目領域追加画面ＡＷＢをディスプレイ２７に表示し、被写体ＰＳ１がカーソルＣＳにより選択されることにより、注目領域ＡＴを設定するようにした場合について述べたが、本発明はこれに限らず、デジタルカメラ２のディスプレイ２７の表面にタッチパネルを設け、タッチパネルを介して注目領域追加画面ＡＷＢの任意の領域を選択させることにより、注目領域ＡＴを設定するようにしても良い。
【０１３３】
さらに上述した実施の形態においては、デジタルカメラ２が注目領域追加画面ＡＷＢをディスプレイ２７に表示し、被写体ＰＳ１がカーソルＣＳにより選択されたことにより、注目領域ＡＴを設定するようにした場合について述べたが、本発明はこれに限らず、テレビジョン受像機３が注目領域追加画面ＡＷＢをディスプレイ７に表示し、被写体ＰＳ１の一部がカーソルＣＳにより選択されたとき、注目領域ＡＴを設定するようにしても良い。
【０１３４】
さらに上述した実施の形態においては、テレビジョン受像機３が画像データＰＤ１に対応する画像をディスプレイ７に表示する手法として、注目点ＡＰ１を利用してズーム表示、マスク表示、及び移動表示する制御を行うようにした場合について述べたが、本発明はこれに限らず、テレビジョン受像機３が画像データＰＤ１に対応する画像をディスプレイ７に表示する手法として、注目点ＡＰ１を利用したパンニング表示、又は注目点ＡＰ１を中心とした画像部分だけのスライド表示等の種々の表示手法を制御するようにしても良い。
【０１３５】
さらに上述した実施の形態においては、デジタルカメラ２により撮像した画像に対応する画像データＰＤ１に注目点ＡＰ１を設定し、テレビジョン受像機３が当該注目点ＡＰ１を利用した表示制御を行う場合について述べたが、本発明はこれに限らず、例えばデジタルビデオカメラにより撮像した動画像やビデオテープレコーダにより録画した動画像に注目部を設定するようにしても良い。この場合、動画像の１フレーム又は１フィールド毎にカーソル等で選択させることにより、その選択された部分を注目部として設定するようにすれば良い。
【０１３６】
さらに上述した実施の形態においては、TIFF REV.6.0 RGB Full Color Imagesに準拠して記載されＥｘｉｆファイル２００（図７）として画像データＰＤ１及び注目点ＡＰ１の座標（Ｘａ、Ｙａ）を記録する場合について述べたが、本発明はこれに限らず、図７との対応部分に同一符号を付した図１６に示すように、デジタルカメラ２により撮像した画像データＰＤ１を例えばＪＰＥＧ圧縮データとして記録する際、当該ＪＰＥＧ圧縮データ及び注目点ＡＰ１の座標（Ｘａ、Ｙａ）をＪＰＥＧ  Ｂａｓｅｌｉｎｅ  ＡＤＣＴに準拠したＥｘｉｆファイル４００に記録するようにしても良い。
【０１３７】
この場合、デジタルカメラ２のＣＰＵ２１は、Ｅｘｉｆファイル４００におけるＡＰＰ１のＥｘｉｆ  ＩＦＤ内に設けられたＭａｋｅｒＮｏｔｅ１１１の非公開領域１２１に注目点ＡＰ１の座標（Ｘａ、Ｙａ）を記録するようになされている。
【０１３８】
さらに上述した実施の形態においては、注目点ＡＰ１の座標（Ｘａ、Ｙａ）をＥｘｉｆファイル２００におけるＭａｋｅｒＮｏｔｅ１１１の非公開領域１２１に記録する場合について述べたが、本発明はこれに限らず、注目点ＡＰ１の座標（Ｘａ、Ｙａ）をＥｘｉｆファイル２００におけるＭａｋｅｒＮｏｔｅ１１１の公開領域に記録するようにしても良い。
【０１３９】
さらに上述した実施の形態においては、デジタルカメラ２のＣＰＵ２１が、予めＲＯＭ２２に格納されているアプリケーションプログラムに従い、上述したルーチンＲＴ１の注目部生成処理手順を実行するようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述した注目部生成処理手順を実行するようにしても良い。
【０１４０】
さらに上述した実施の形態においては、テレビジョン受像機３のＣＰＵ３１が、予めＲＯＭ３２に格納されているアプリケーションプログラムに従い、上述したルーチンＲＴ２の注目部利用表示処理手順を実行するようにした場合について述べたが、本発明はこれに限らず、記憶媒体からインストールしたアプリケーションプログラムや、インターネットからダウンロードしたアプリケーションプログラム、その他種々のルートによってインストールしたアプリケーションプログラムに従って上述した注目部利用表示処理手順を実行するようにしても良い。
【０１４１】
さらに上述した実施の形態においては、注目部設定手段としてＣＰＵ２１、注目部算出手段としてＣＰＵ２１、注目部記録手段としてＣＰＵ２１、提供手段としてメモリカード装着部２８及び外部接続インタフェース２９、受取手段としてメモリカード装着部４１及び外部接続インタフェース４２、読込手段としてＣＰＵ３１、表示制御手段としてＣＰＵ３１によって本発明の注目部生成表示システムとしてのデジタルカメラ２及びテレビジョン受像機３を構成するようにした場合について述べたが、本発明はこれに限らず、この他種々の構成でなる注目部設定手段、注目部算出手段、注目部記録手段、提供手段、受取手段、読込手段、表示制御手段によって注目部生成表示システムを構成するようにしても良い。
【産業上の利用可能性】
【０１４２】
本発明の注目部生成表示システム、注目部生成装置及び注目部生成方法は、例えばデジタルカメラ及びテレビジョン受像機以外にも、デジタルビデオカメラ、プロジェクタ撮像器等に適用することができる。
【図面の簡単な説明】
【０１４３】
【図１】注目部生成表示システムの構成を示す略線図である。
【図２】デジタルカメラの回路構成を示す略線図である。
【図３】Ｅｘｉｆファイルの構成（１）を示す略線図である。
【図４】テレビジョン受像機の回路構成を示す略線図である。
【図５】フォーカスを注目点として設定する様子を示す略線図である。
【図６】注目点の座標設定の様子を示す略線図である。
【図７】Ｅｘｉｆファイルの構成（２）を示す略線図である。
【図８】任意の注目領域の設定の様子を示す略線図である。
【図９】Ｅｘｉｆファイルの構成（３）を示す略線図である。
【図１０】Ｅｘｉｆファイルの構成（４）を示す略線図である。
【図１１】注目部生成処理手順を示すフローチャートである。
【図１２】ズーム表示の様子を示す略線図である。
【図１３】マスク表示の様子を示す略線図である。
【図１４】移動表示の様子を示す略線図である。
【図１５】注目部利用表示制御処理手順を示すフローチャートである。
【図１６】ＪＰＥＧ圧縮データのＥｘｉｆファイルの構成を示す略線図である。
【符号の説明】
【０１４４】
１……注目部生成表示システム、２……デジタルカメラ、３……テレビジョン受像機、４……シャッタボタン、５……レンズ、６……メモリカード挿入口、７……ディスプレイ、８……スピーカ、９……メモリカード挿入口、１０……ケーブル１０、２０……バス、２１……ＣＰＵ、２２……ＲＯＭ、２３……ＲＡＭ、２４……操作部、２５…撮像素子、２６……画像処理部、２７……ディスプレイ、２８……メモリカード装着部、２９…外部接続インタフェース、３０……バス、３１……ＣＰＵ、３２……ＲＯＭ、３３……ＲＡＭ、３４……リモートコントローラ、３５…受光部、３６……アンテナ、３７……チューナ、３８……デコーダ、３９…映像処理部、４０……音声処理部、４１……メモリカード装着部、４２……外部接続インタフェース。
【図１】
0005018354.tif 000002
【図２】
0005018354.tif 000003
【図３】
0005018354.tif 000004
【図４】
0005018354.tif 000005
【図５】
0005018354.tif 000006
【図６】
0005018354.tif 000007
【図７】
0005018354.tif 000008
【図８】
0005018354.tif 000009
【図９】
0005018354.tif 000010
【図１０】
0005018354.tif 000011
【図１１】
0005018354.tif 000012
【図１２】
0005018354.tif 000013
【図１３】
0005018354.tif 000014
【図１４】
0005018354.tif 000015
【図１５】
0005018354.tif 000016
【図１６】
0005018354.tif 000017